【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
液体をアナライトについてアッセイするための容器であって：
液体を受け入れるための少なくとも１つのチャンバーを含み、該少なくとも１つのチャンバーの内側表面に位置するアナライト特異的受容体の少なくとも１つの所定パターンを含み、該チャンバーの中に液体が導入された場合にその液体中に存在しているアナライトが該アナライト特異的受容体の少なくとも１つのパターンと結合可能である、ハウジング部分；および
該ハウジング部分と一体に形成され、該ハウジング部分と同じ材料で形成された少なくとも１つの光学素子であって、前記内側表面の方へ入射光ビームを導き且つ該光ビームが液体中に存在しているアナライトと相互作用した後に前記内側表面から離れる方へ光ビームを導き、該アナライト特異的受容体の所定パターンおよびそれに結合しているアナライトと相互作用した光ビームが回折光ビームである、光学素子；
を備える容器。
【請求項２】
前記少なくとも１つのチャンバーを有しているハウジング部分が、９６個のチャンバーを有している標準マイクロタイタープレートである請求項１に記載の容器。
【請求項３】
前記アナライト特異的受容体の所定パターンが９６個のチャンバーのそれぞれの内側表面に位置し、該チャンバーの中に液体が導入された場合にその液体中に存在しているアナライトが該アナライト特異的受容体のパターンと結合可能である、請求項２に記載の容器。
【請求項４】
前記ハウジング部分と一体に形成された光学素子が三角形の形状をした光学素子である、請求項１〜３のいずれかに記載の容器。
【請求項５】
前記ハウジング部分と一体に形成された光学素子が前記少なくとも１つのチャンバーの下に位置する三角形の形状をした光学素子であり、且つ前記アナライト特異的受容体の所定パターンが該少なくとも１つのチャンバーの底表面に位置している、請求項１に記載の容器。
【請求項６】
前記９６個のチャンバーが行と列の形で配置され、且つ前記ハウジング部分と一体に形成された光学素子がチャンバーの各列または各行の下に位置する細長い三角形の形状をした光学素子であり、該細長い三角形の形状をした光学素子の総数が容器中の列または行の数に等しい、請求項２に記載の容器。
【請求項７】
前記ハウジング部分と一体に形成された光学素子が前記少なくとも１つのチャンバーの下に位置する半球形の形状をした光学素子であり、且つ前記アナライト特異的受容体の所定パターンが該少なくとも１つのチャンバーの底表面に位置している、請求項１に記載の容器。
【請求項８】
前記ハウジング部分と一体に形成された光学素子が前記少なくとも１つのチャンバーの下に位置する円錐形の形状をした光学素子であり、且つ前記アナライト特異的受容体の所定パターンが該少なくとも１つのチャンバーの底表面に位置している、請求項１に記載の容器。
【請求項９】
前記少なくとも１つのチャンバーを有するハウジング部分が、複数の液体サンプルを互いに離して保持するためのチャンバーアレイを含む、請求項１に記載の容器。
【請求項１０】
前記ハウジングが細長いハウジングセクションを含み、前記少なくとも１つのチャンバーが該細長いハウジングセクションによって画定される細長いチャンバーであり、且つ該ハウジングが、液体入口部と液体出口部とを有するカバーセクションを含み、このカバーセクションが、前記細長いハウジングセクションと組み合わせられた場合にその液体入口部と液体出口部との間に該細長いハウジングセクションを通って毛細管流路を形成する、請求項１に記載の容器。
【請求項１１】
前記アナライト特異的受容体の少なくとも１つの所定パターンが細長いチャンバーの底に沿って位置する、請求項１０に記載の容器。
【請求項１２】
前記基体と一体に形成された光学素子が、前記細長いチャンバーの長さ方向に沿って延びる、該細長いチャンバーの下に位置する細長い三角形の形状をした光学素子である、請求項１０または１１に記載の容器。
【請求項１３】
前記ハウジングがほぼ円形の基体を含み、前記液体を受け入れるための少なくとも１つのチャンバーが該円形の基体の中心に配置された第１のチャンバーであり、該第１のチャンバーから半径方向に距離を置いて配置された複数のチャンバーを含み、該複数のチャンバーのそれぞれが、その複数のチャンバーのそれぞれと第１のチャンバーとをつなぐ連結流動通路を介して第１のチャンバーと流動連通状態になっており、且つ前記少なくとも１つの光学素子が該複数のチャンバーのそれぞれの下に位置する一体化光学素子を含む、請求項１に記載の容器。
【請求項１４】
前記アナライト特異的受容体の所定パターンが複数のチャンバーのそれぞれの底表面に位置する受容体のパターンを含み、該チャンバーの中に液体が導入された場合にその液体中に存在しているアナライトが該アナライト特異的受容体のパターンと結合可能であり、且つアナライトが結合した該アナライト特異的受容体の所定パターンと相互作用した光ビームが回折光ビームである、請求項１３に記載の容器。
【請求項１５】
前記ハウジングが、容器を回転させるための回転駆動機構に容器を取り付けるための取り付け部を含む、請求項１３または１４に記載の容器。
【請求項１６】
成型プラスチック製である、請求項１〜１５のいずれか１項に記載の容器。
【請求項１７】
前記ハウジングと一体に形成された少なくとも１つの光学素子が、該少なくとも１つの光学素子によって導かれる光が全反射を受けるように、前記所定パターンが存在している内側表面に位置している、請求項１に記載の容器。
【請求項１８】
前記細長い三角形の形状をした光学素子が、結合したチャンバー行のチャンバーの底表面に位置し、該細長い三角形の形状をした光学素子によって導かれる光が全反射を受ける、請求項６に記載の容器。
【請求項１９】
前記ハウジング部分と一体に形成された光学素子が、前記９６個のチャンバーのそれぞれの下に位置する半球形形状の光学素子であり、且つ前記アナライト特異的受容体の所定パターンが該９６個のチャンバーのそれぞれの底表面に位置している、請求項２または３に記載の容器。
【請求項２０】
前記ハウジング部分と一体に形成された光学素子が、前記９６個のチャンバーのそれぞれの下に位置する円錐形形状の光学素子であり、且つ前記アナライト特異的受容体の所定パターンが該９６個のチャンバーのそれぞれの底表面に位置している、請求項２または３に記載の容器。
【請求項２１】
光回折を利用して液体をアナライトについてアッセイするための容器であって：
液体を受け入れるための少なくとも１つのチャンバーを上表面に含むハウジング部分；
該少なくとも１つのチャンバーの内側表面に位置するアナライト特異的受容体の所定パターンであって、該少なくとも１つのチャンバーへ液体が導入された場合にその液体中に存在しているアナライトが該アナライト特異的受容体のパターンと結合可能であり、アナライトが該アナライト特異的受容体の所定パターンと結合した場合に該アナライト特異的受容体の所定パターンに入射する光ビームが回折される、アナライト特異的受容体の所定パターン；および
該少なくとも１つのチャンバーの内側表面の方へ入射光ビームを導き、且つ該光ビームがアナライトが結合した該アナライト特異的受容体の所定パターンと相互作用した後に該内側表面から離れる方へ回折光ビームを導くための、前記ハウジング部分と一体に形成された光学素子；
を備える容器。
【請求項２２】
前記少なくとも１つのチャンバーを有するハウジング部分が、９６個のチャンバーを有する標準マイクロタイタープレートである、請求項２１に記載の容器。
【請求項２３】
前記９６個のチャンバーのそれぞれの下に位置し、それぞれのチャンバーの方へ入射光ビームを導き且つ該光ビームがアナライト特異的受容体の所定パターンおよびそれに結合したアナライトと相互作用した後に該チャンバーから離れる方へ回折光ビームを導くための、前記ハウジング部分と一体に形成された光学素子を含む、請求項２２に記載の容器。
【請求項２４】
前記９６個のチャンバーのそれぞれが、該９６個のチャンバーのそれぞれの底表面に位置するアナライト特異的受容体の所定パターンを含む、請求項２３に記載の容器。
【請求項２５】
前記９６個のチャンバーが行と列の形で配置され、且つ基体と一体に形成された光学素子が、チャンバーの各列または各行の下に位置している細長い三角形の形状をした光学素子であり、該細長い三角形の形状をした光学素子の総数がその容器中の列または行の数に等しい、請求項２３または２４に記載の容器。
【請求項２６】
試験管であって：
内部を囲む管壁と１つの閉鎖末端と１つの開放末端とを有し、その内部へ液体を受け入れるための円筒形の管；
該管壁の内側表面に位置するアナライト特異的受容体の所定パターンであって、該試験管の内部へ液体が導入された場合にその液体中に存在しているアナライトが該アナライト特異的受容体のパターンと結合可能である、アナライト特異的受容体の所定パターン；および
該管壁と一体に形成され、該管壁の内側表面の方へ入射光ビームを導き且つ該光ビームがアナライトが結合した該アナライト特異的受容体の所定パターンとの相互作用によって回折された後に該管壁の内側表面から離れる方へ光ビームを導くための少なくとも１つの光学素子；
を備える試験管。
【請求項２７】
採血管である、請求項２６に記載の試験管。